(57)【要約】【課題】  光学情報読取装置で読み取った情報を携帯情報端末に送信する通信システムにおいて、携帯情報端末にデータを入力するための光学情報読取装置の作業性を向上させることを目的とする。【解決手段】  光学情報読取装置１００で読み取った情報を携帯情報端末１１０に送信する通信システムであって、前記携帯情報端末１１０は前記光学情報読取装置１００からの情報を受信する受信部１１１を備え、前記光学情報読取装置１００は光学情報を読み取る光学情報読取部１０１と、読み取った光学情報を解読して文字情報に変換する解読部１０２と、前記文字情報の文字数をカウントするカウント部１０４と、前記文字情報を前記携帯情報端末１１０に送信する送信部１０６とを備え、前記文字情報を前記携帯情報端末１１０に送信する際に、前記文字情報の文字数により一定文字毎の送信間隔を変更する。【選択図】  図１                                                                 
2005157435.tif 000002
【特許請求の範囲】
【請求項１】
光学情報読取装置で読み取った情報を携帯情報端末に送信する通信システムであって、前記携帯情報端末は前記光学情報読取装置からの情報を受信する受信部を備え、前記光学情報読取装置は光学情報を読み取る光学情報読取部と、読み取った光学情報を解読して文字情報に変換する解読部と、前記文字情報の文字数をカウントするカウント部と、前記文字情報を前記携帯情報端末に送信する送信部とを備え、前記文字情報を前記携帯情報端末に送信する際に、前記文字情報の文字数に基づいて一定文字毎の送信間隔を変更する通信システム。
【請求項２】
光学情報読取装置で読み取った情報を携帯情報端末に送信する通信システムであって、前記携帯情報端末は前記光学情報読取装置からの情報を受信する受信部を備え、前記光学情報読取装置は光学情報を読み取る光学情報読取部と、読み取った光学情報を解読して文字情報に変換する解読部と、前記文字情報を記憶する記憶部と、前記記憶部に記憶された文字情報の文字数をカウントするカウント部と、前記記憶部に記憶された文字情報を前記携帯情報端末に送信する送信開始手段と、前記文字情報を前記携帯情報端末に送信する送信部とを備え、前記送信開始手段により前記記憶部に記憶された前記文字情報を前記携帯情報端末に送信する際に、前記記憶部に記憶された前記文字情報の文字数に基づいて一定文字毎の送信間隔を変更する通信システム。
【請求項３】
光学情報読取装置がバーコードリーダである請求項１または２記載の通信システム。
【請求項４】
携帯情報端末が携帯電話である請求項１から３のいずれか１項に記載の通信システム。
【請求項５】
光学情報を読み取る光学情報読取部と、読み取った光学情報を解読して文字情報に変換する解読部と、前記文字情報の文字数をカウントするカウント部と、前記文字情報を携帯情報端末に送信する送信部とを備え、前記文字情報を前記携帯情報端末に送信する際に、前記文字情報の文字数に基づいて一定文字毎の送信間隔を変更する光学情報読取装置。
【請求項６】
光学情報を読み取る光学情報読取部と、読み取った光学情報を解読して文字情報に変換する解読部と、前記文字情報を記憶する記憶部と、前記記憶部に記憶された文字情報の文字数をカウントするカウント部と、前記記憶部に記憶された文字情報を携帯情報端末に送信する送信開始手段と、前記文字情報を前記携帯情報端末に送信する送信部とを備え、前記送信開始手段により前記記憶部に記憶された前記文字情報を前記携帯情報端末に送信する際に、前記記憶部に記憶された前記文字情報の文字数に基づいて一定文字毎の送信間隔を変更する光学情報読取装置。
【発明の詳細な説明】
【技術分野】
【０００１】
本発明は携帯情報端末にデータを入力するための光学情報読取装置に関するものである。
【背景技術】
【０００２】
商品流通システムにおいて、受発注サーバに商品特定情報を入力するための入力機器として携帯電話を使用する方法が公開されている（例えば、特許文献１参照）。これは、携帯電話の外部インターフェースにバーコードを読み取るためのスキャナーを取り付け、商品特定情報としてのバーコードを商品等に付しておき、商品特定情報であるバーコードを携帯電話のキー入力部からではなく、スキャナーで読み取ることにより携帯電話に入力するものである。
【特許文献１】特開２００２−１８３５１８号公報（第５頁、第７図）
【発明の開示】
【発明が解決しようとする課題】
【０００３】
しかしながら、上記従来の構成では、携帯電話の外部インターフェース仕様は、外部機器としてキーボードを接続することを想定しているので処理能力が決まっており、携帯電話の処理能力によって外部機器から携帯電話へのデータの転送速度には限界が生じる。
【０００４】
また、携帯電話の外部インターフェース仕様は、携帯電話と外部機器間のデータの流れ方向として、外部機器から携帯電話にデータ送信することのみを認めており、携帯電話から外部機器にデータ送信することを認めていない。このため、受発注サーバに商品特定情報を入力する処理において何らかの障害が発生し、処理が継続不可能となった場合でも、携帯電話から外部機器にエラー通知を行い、自動的に処理をやり直すといったリトライ制御が出来なかった。
【０００５】
この障害を避けるため、外部機器は、携帯電話へのデータの転送速度を低めに設定し、かつ連続して情報を送信する場合には待ち時間を設定しながらデータ入力作業を行う必要があった。一例として、外部機器から携帯電話に文字情報を送信する場合、１文字送信し、その後所定の待ち時間が経過するまでの間送信を停止、その後また次の１文字を送信するといったことを繰り返している。
【０００６】
この結果、操作者に対して余計な待ち時間を発生させることがあった。
【０００７】
本発明は、上記従来の課題に鑑み、携帯情報端末にデータを入力するための光学情報読取装置の作業性を向上させることを目的とする。
【課題を解決するための手段】
【０００８】
上記目的を達成するために、本発明の通信システムは、光学情報読取装置で読み取った情報を携帯情報端末に送信する通信システムであって、前記携帯情報端末は前記光学情報読取装置からの情報を受信する受信部を備え、前記光学情報読取装置は光学情報を読み取る光学情報読取部と、読み取った光学情報を解読して文字情報に変換する解読部と、前記文字情報の文字数をカウントするカウント部と、前記文字情報を前記携帯情報端末に送信する送信部とを備え、前記文字情報を前記携帯情報端末に送信する際に、前記文字情報の文字数に基づいて一定文字毎の送信間隔を変更する。
【０００９】
この構成によれば、文字情報の文字数に基づいて送信間隔を変更することができる。
【００１０】
また、本発明の通信システムは、情報読取装置で読み取った情報を携帯情報端末に送信する通信システムであって、前記携帯情報端末は前記光学情報読取装置からの情報を受信する受信部を備え、前記光学情報読取装置は光学情報を読み取る光学情報読取部と、読み取った光学情報を解読して文字情報に変換する解読部と、前記文字情報を記憶する記憶部と、前記記憶部に記憶された文字情報の文字数をカウントするカウント部と、前記記憶部に記憶された文字情報を前記携帯情報端末に送信する送信開始手段と、前記文字情報を前記携帯情報端末に送信する送信部とを備え、前記送信開始手段により前記記憶部に記憶された前記文字情報を前記携帯情報端末に送信する際に、前記記憶部に記憶された前記文字情報の文字数に基づいて一定文字毎の送信間隔を変更する。
【００１１】
この構成によれば、記憶部に記憶された文字情報の文字数に基づいて送信間隔を変更することができる。
【００１２】
また、上記通信システムは、光学情報読取装置としてバーコードリーダを用いるものである。
【００１３】
この構成によれば、光学情報を記録する方法として、一般の紙媒体にバーコードを印刷することでシステム構成することができる。この結果、システムの導入コストおよび運用コストを削減できる。
【００１４】
また、上記通信システムは、携帯情報端末として携帯電話を用いるものである。
【００１５】
この構成によれば、通信システムのサーバに情報を送信する手段として、一般に使用されている携帯電話およびネットワークなど公共設備を使用しながらでシステム構成することができる。この結果、システムの導入コストおよび運用コストを削減できる。
【００１６】
また、本発明の光学情報読取装置は、光学情報を読み取る光学情報読取部と、読み取った光学情報を解読して文字情報に変換する解読部と、前記文字情報の文字数をカウントするカウント部と、前記文字情報を携帯情報端末に送信する送信部とを備え、前記文字情報を前記携帯情報端末に送信する際に、前記文字情報の文字数により一定文字毎の送信間隔を変更する。
【００１７】
この構成によれば、文字情報の文字数に依存して送信間隔を変更することができる。
【００１８】
また、本発明の光学情報読取装置は、光学情報を読み取る光学情報読取部と、読み取った光学情報を解読して文字情報に変換する解読部と、前記文字情報を記憶する記憶部と、前記記憶部に記憶された文字情報の文字数をカウントするカウント部と、前記記憶部に記憶された文字情報を携帯情報端末に送信する送信開始手段と、前記文字情報を前記携帯情報端末に送信する送信部とを備え、前記送信開始手段により前記記憶部に記憶された前記文字情報を前記携帯情報端末に送信する際に、前記記憶部に記憶された前記文字情報の文字数に基づいて一定文字毎の送信間隔を変更する。
【００１９】
この構成によれば、記憶部に記憶された文字情報の文字数に依存して送信間隔を変更することができる。
【００２０】
また、光学情報読取装置で読み取った情報を携帯情報端末に送信する通信システムにおいて、前記携帯情報端末は前記光学情報読取装置からの情報を受信する受信部を備え、前記光学情報読取装置は光学情報を読み取る光学情報読取部と、読み取った光学情報を解読
して文字情報に変換する解読部と、前記文字情報の文字数をカウントするカウント部と、前記文字情報を前記携帯情報端末に送信する送信部とを備え、前記文字情報を前記携帯情報端末に送信する際に、前記文字情報の文字数に基づいて一定文字毎の送信間隔を変更することにより、前記携帯情報端末の処理能力に応じて送信する通信システムを提供する。
【発明の効果】
【００２１】
以上のように本発明によると、携帯情報端末の処理能力に適した送信間隔で文字情報を送信することができ、通信の信頼性を損ねることなく作業性を向上させることができる。
【発明を実施するための最良の形態】
【００２２】
以下、本発明の一実施の形態について、図１を用いて説明する。
【００２３】
図１は、光学情報読取装置で読み取った情報を携帯情報端末に送信する通信システムの概略構成図である。図１において、携帯情報端末１１０は、光学情報読取装置１００から文字情報を受信するための受信部１１１を備えており、例えば携帯電話を使用する。ただし、携帯情報端末１１０の受信部１１１は受信バッファを有しており、少数の文字情報であれば連続して受信し処理することが可能である。しかし、受信バッファ容量には制限があるため、携帯情報端末１１０の受信部１１１は受信バッファ容量を越えるような文字数以上の文字情報は連続して受信し処理することができない。なお、本実施の形態では、２文字までは連続して受信し処理できるものとし、３文字以上は連続して受信し処理できないものとして説明する。
【００２４】
光学情報読取装置１００は、光学情報を読み取る光学情報読取部１０１と、光学情報読取部１０１で読み取った光学情報を解読して文字情報に変換する解読部１０２と、解読部１０２で変換した文字情報を記憶するための記憶部１０３と、記憶部１０３に記憶された文字情報の文字数をカウントするカウント部１０４と、光学情報読取装置１００のオペレータが記憶部１０３に記憶された文字情報を前記携帯情報端末１１０に送信開始を指示する送信開始手段１０５と、記憶部１０３に記憶された文字情報を携帯情報端末１１０の受信部１１１に送信する送信部１０６と、携帯情報端末１１０の機種とその処理能力とを対応付けたテーブル１０７と、携帯情報端末１１０の機種を入力する機種入力部１０８と、カウント部１０４のカウント結果と機種入力部８により入力された機種に対応するテーブル１０７に基づく処理能力とから携帯情報端末１１０に送信する文字情報の送信間隔（送信を一時停止する待ち時間）を決定する処理部１０９とを備えている。また、光学情報読取装置１００として、例えばバーコードリーダを使用する。
【００２５】
なお、携帯情報端末１１０と光学情報読取装置１００の通信接続形態は有線でもよいし、無線でもよい。
【００２６】
また、光学情報は、例えば紙媒体にバーコードを印刷して使用する。そして、ひとつのバーコードに複数の文字分の文字情報が記録できるものとする。
【００２７】
以上のように構成された通信システムについて、その動作を説明する。
【００２８】
オペレータが光学情報読取装置１００を操作して光学情報読取部１０１により光学情報を読み取る。
【００２９】
光学情報読取装置１００は、光学情報読取部１０１で読み取った光学情報を解読部１０２で文字情報に変換し記憶部１０３に記憶する。なお、オペレータが連続して光学情報を読み取る場合には、上記処理を繰り返し、光学情報読取装置１００は複数の光学情報の文字情報を記憶部１０３に記憶する。
【００３０】
次に、オペレータが送信開始手段１０５を操作することにより記憶部１０３に記憶された文字情報の携帯情報端末１１０への送信開始を指示すると、光学情報読取装置１００はカウント部１０４により記憶部１０３に記憶されている文字情報の文字数をカウントする。
【００３１】
そして、記憶部１０３に記憶された文字情報を送信開始手段１０５によって送信する際、処理部１０９はカウント部１０４のカウント結果に基づき、文字数が３文字未満であり、例えば文字数が２文字であった場合、１文字目の文字情報と２文字目の文字情報を連続して送信部１０６から受信部１１１に送信する。また、カウント部１０４でカウントした文字数が、３文字以上であれば、１文字目の文字情報と２文字目の文字情報を連続して送信部１０６から受信部１１１に送信し、携帯情報端末１１０の処理能力に基づく待ち時間の間、送信を一時停止する。
【００３２】
そしてこの待ち時間が経過した後、残りの文字情報を３文字未満の文字数分に区切って送信部１０６から受信部１１１に送信すし、これを繰り返すことで文字情報の送信を行う。
【００３３】
一例として、記憶部に１０３に記憶されている文字情報が「４１３５７２」の６文字であり、携帯情報端末１１０の処理能力に基づく待ち時間が１秒であった場合、光学情報読取装置１００は、携帯情報端末１１０に１文字目の「４」と２文字目の「１」の文字情報を連続して送信した後に１秒間送信を停止、次いで３文字目の「３」と４文字目の「５」の文字情報を連続して送信して１秒間送信を停止し、さらに５文字目の「７」と６文字目の「２」の文字情報を連続して送信して文字情報の送信を完了する。
【００３４】
すなわち、携帯情報端末１１０が連続して受信し処理することができる文字数分の文字情報を連続して送信後、携帯情報端末１１０の処理能力に基づく待ち時間の間送信を一時停止し、待ち時間が経過した後、残りの文字情報を送信することを繰り返す。なお、この待ち時間は、携帯情報端末１１０が受信した文字情報の処理を終える時間以上とする。
【００３５】
このように、送信する文字情報の文字数によって送信方法を変えることにより、従来のような、様々な携帯情報端末１１０の機種に対応し、また、通信障害を起こり難くするために、１文字送信して所定の待ち時間送信を停止しその後１文字を送信するといったことの繰り返しにより文字情報を送信する場合と比べて、文字数が少量の場合は速く送信を終えることができ、また、文字数が多量の場合であっても、通信の信頼性を損なうことなく送信を行うことができる。そして、情報の送信にかかるオペレータの待ち時間を短くすることできるので、光学情報読取装置１００の操作性を向上させることができる。
【００３６】
以上の説明においては、解読部１０２で変換した文字情報を記憶部１０３に記憶し、送信開始手段１０５の入力を契機に送信を開始する場合を述べてきたが、記憶部１０３や送信開始手段１０５を介さず、解読部１０２で変換した文字情報の文字数をカウント部１０４でカウントし、送信部１０６から受信部１１１に送信するようにしていもよい。
【００３７】
また、本実施の形態においては、機種入力部１０８により携帯情報端末１１０の機種情報を入力する例を示したが、機種情報に対応付けたバーコード等の光学情報を作成しておき、その光学情報を光学情報読取部１０１で読み取ることで機種情報を入力するようにしてもよい。
【００３８】
また、以上の説明では、機種入力部１０８への入力結果とテーブル１０７に基づいて送信する文字情報の文字数により送信方法を変える例を示したが、機種や待ち時間等を直接
入力する入力部を光学情報読取装置１００に設け、これにより機種や待ち時間等を入力するようにしてもよい。
【産業上の利用可能性】
【００３９】
本発明の通信システムは、携帯情報端末の処理能力に適した送信間隔で文字情報を送信することができ、通信の信頼性を損ねることなく作業性を向上させることができ、情報端末間で情報の送受信を行う通信システム等として産業上有用である。
【図面の簡単な説明】
【００４０】
【図１】光学情報読取装置と携帯情報端末とからなる通信システムの概略構成図
【符号の説明】
【００４１】
１００  光学情報読取装置
１０１  光学情報読取部
１０２  解読部
１０３  記憶部
１０４  カウント部
１０５  送信開始手段
１０６  送信部
１０７  テーブル
１０８  機種入力部
１０９  処理部
１１０  携帯情報端末
１１１  受信部
【図１】
2005157435.tif 000003